(57)【要約】【課題】レンジフード付き高周波加熱装置において、照明装置の照度を高めるだけでなく寿命も長くし、交換する作業を不要にすること。【解決手段】加熱室１の壁面の外側に隣接して設けられた庫内照明装置４と、装置本体の下部に設け加熱調理装置を照明するＬＥＤ照明装置５と、マグネトロン３と庫内照明装置４とＬＥＤ照明装置５とを制御する制御する制御手段１２とを備え、ＬＥＤ照明装置５は発光ダイオードを用い、ＬＥＤ照明装置５は制御手段１２が制御するスイッチング電源１３から電源供給され、ＬＥＤ照明装置５は表面にメッキ処理を施した反射板２０で集光し照度を高め、ＬＥＤ素子は反射板との間に設けた通風口によって冷却効果が高められることで、ＬＥＤ照明装置５の寿命が長くなり半永久的に使用できるので、交換作業が不要になり、使い勝手が格段に向上する。【選択図】図１
2013137155.tif 000002
【特許請求の範囲】
【請求項１】
被加熱物を調理する加熱調理装置の上方に設けられるレンジフード付き高周波加熱装置において、装置本体内に設けられ被加熱物を収納する加熱室と、前記加熱室内に高周波電力を供給する高周波発生手段と、前記加熱室の壁面の外側に隣接して設けられた庫内照明装置と、前記装置本体の下部に設け前記加熱調理装置の調理物や台所を照明する下方照明装置と、前記高周波発生手段と前記庫内照明装置と前記下方照明装置とを制御する制御手段とを備え、前記下方照明装置は発光ダイオードを用いたＬＥＤ照明であり、前記制御手段が制御するスイッチング電源から電源供給され、照明効率を高め集光するためにメッキ処理を施した反射板を備えたレンジフード付き高周波加熱装置。
【請求項２】
前記反射板はプリント基板上に実装し照射効果を高めるためにメッキを表面に施した樹脂成型品で構成し、プリント基板上に実装したＬＥＤ素子からの光を集光し、照度を高めると共に、位置決めピンを備えるとともに、前記プリント基板は決め穴を有し、前記反射板と前記ＬＥＤ素子および周辺との絶縁空間距離を確保した請求項１に記載のレンジフード付き高周波加熱装置。
【発明の詳細な説明】
【技術分野】
【０００１】
本発明は、高周波加熱装置で装置本体の下方に設置された他の加熱調理装置から発生する生成ガスを室内循環もしくは戸外に排出するフードファン機能を備え、かつ下方に設置した調理器の調理物を照明する照明装置を有するレンジフード付き高周波加熱装置に関するものである。
【背景技術】
【０００２】
従来、レンジフード付き高周波加熱装置の照明装置は、本体下部に設けられた下方照明用ランプと、本体内に設けられた加熱室内照明用ランプ（庫内灯）とを備えている（例えば、特許文献１参照）。
【０００３】
下方照明用ランプは、高周波加熱装置本体下方に設置されたガスコンロ等加熱調理装置、及びこの調理装置で調理されている調理物を照明する機能と共に、間接照明として台所内照明灯の機能とが、顧客（使用者）から求められている。そのため、下方照明装置としてのランプは、下方のガスコンロで調理される調理物の出来具合を判断するため、照明器具としての照度が要求される。
【０００４】
また、レンジフード付き高周波加熱装置の下方照明装置としてのランプは、本体底面部分に設置され、本体下方に設置されたガスや電気を用いた加熱調理装置からの高温の生成ガスによる温度の影響を受けやすい配置構造となっている。さらに、照明装置へ供給している家庭用商用電源の電圧値で高温高湿環境に対応する高い絶縁性能が求められている。
【先行技術文献】
【特許文献】
【０００５】
【特許文献１】特開２００３−２８４３１号公報
【発明の概要】
【発明が解決しようとする課題】
【０００６】
しかしながら、一方では、近年、高周波加熱装置の本体下方に設置されたガスや電気を用いた調理装置は、従来主流であった４口コンロのものから、５口コンロへと機能が向上するに伴い、下方照明装置として、広域を照明することができるよう照明機能の向上も求められている。そして、その手段として、下方照明用ランプが白熱球のものから、ハロゲン電球のものへと、また、消費電力が２０Ｗから４０Ｗのものへと、性能向上と共に多様化している。
【０００７】
このように本体下方に設けられた下方照明装置の高出力化に伴い、そのランプの形状や発熱量も大きくなり、その絶縁構造も高度な性能が要求され、複雑化してきている。
【０００８】
また他方では、製造メーカー各社によって、白熱球やハロゲンなどの種類や取付形状、ワット数などの仕様がまちまちであった。このため、下方照明用ランプが、破損した場合、顧客が、取り付けピンのピッチや形状が同じランプで適切な交換品を市場で探し出すことが、容易ではないという課題を有していた。
【０００９】
更に、プリント基板に配したＬＥＤ素子と集光目的で装着する導電材料をメッキした反射板を組み合わせる際、ＬＥＤ素子の半田部分と反射板の接触による電気的短絡の恐れがあるためＬＥＤ素子と反射板の隙間を広く取る必要があり、その隙間により集光効率が低下するという課題があった。
【００１０】
本発明は、前記従来の課題を解決するもので、照明装置のコンパクト化、簡単な絶縁構成を実現し、寿命を長くし、交換する作業をほとんど不要とした安全で高寿命のレンジフード付き高周波加熱装置を提供することを目的とする。
【課題を解決するための手段】
【００１１】
前記従来の課題を解決するために、本発明のレンジフード付き高周波加熱装置は、被加熱物を調理する加熱調理装置の上方に設けられるレンジフード付き高周波加熱装置において、装置本体内に設けられ被加熱物を収納する加熱室と、前記加熱室内に高周波電力を供給する高周波発生手段と、前記加熱室の壁面の外側に隣接して設けられた庫内照明装置と、前記装置本体の下部に設け前記加熱調理装置を照明する下方照明装置と、前記高周波発生手段と前記庫内照明装置と前記下方照明装置とを制御する制御手段とを備え、前記下方照明装置は発光ダイオードを用いたＬＥＤ照明であり、前記制御手段が制御するスイッチング電源から商用電源より低い低電圧電源供給し、前記ＬＥＤ照明のＬＥＤ素子はプリント基板に直接、又はアルミ板などの放熱板上に取付けられ、表面にメッキ処理を施した反射板で集光し照射方向を定めた構成を有する。
【００１２】
このプリント基板に配したＬＥＤ素子を反射板と組合す際、照射光の効率よい集光のため、反射板とＬＥＤ素子の隙間を出来る限り近づける方法として、通常樹脂成型品で作られる反射板の基板取り付け部分に足部と位置決めピンの形状を有することで、プリント基板上の穴とＬＥＤ素子の位置決め穴を同一部品の同一工程で加工でき、高精度の位置決め構成を実現し、光源の輝度を効率よく照明に生かせ、半永久的に使用できるので交換作業が不要になり、使い勝手が格段に向上する。
【発明の効果】
【００１３】
本発明のレンジフード付き高周波加熱装置は、ＬＥＤ素子と反射板とを組み合わせる際の嵌合寸法の最適化を可能とし、照度を最大限に引き出し、導電部の短絡が防止でき安全かつ信頼性を高めることが可能となるとともに、下方照明装置として４０Ｖ程度、又はそれ以下の低電圧電源で動作するＬＥＤ照明を用いることにより、下方照明装置の寿命が長くなり半永久的に使用できるので、交換作業が不要になり、使い勝手が向上するとともに、電気絶縁構成を簡単にしながら、安全性を向上することができる。
【図面の簡単な説明】
【００１４】
【図１】本発明の実施の形態１におけるレンジフード付き高周波加熱装置の構造を示す断面図
【図２】本発明の実施の形態１におけるレンジフード付き高周波加熱装置のＬＥＤ照明装置の最適な取付構造を示す図
【図３】（ａ）従来のＬＥＤ照明装置を有するレンジフード付き高周波加熱装置のＬＥＤ素子と反射板の取付け構成において絶縁空間距離が大きい場合の概略図（ｂ）従来のＬＥＤ照明装置を有するレンジフード付き高周波加熱装置のＬＥＤ素子と反射板の取付け構成において絶縁空間距離のバランスが不均一な場合の概略図（ｃ）本発明の実施の形態１におけるレンジフード付き高周波加熱装置のＬＥＤ素子と反射板の取付け構成において最適な絶縁空間距離が確保された概略図
【発明を実施するための形態】
【００１５】
第１の発明は、被加熱物を調理する加熱調理装置の上方に設けられるレンジフード付き高周波加熱装置において、装置本体内に設けられ被加熱物を収納する加熱室と、前記加熱室内に高周波電力を供給する高周波発生手段と、前記加熱室の壁面の外側に隣接して設けられた庫内照明装置と、前記装置本体の下部に設け前記加熱調理装置の調理物や台所を照明する下方照明装置と、前記高周波発生手段と前記庫内照明装置と前記下方照明装置とを制御する制御手段とを備え、前記下方照明装置は発光ダイオードを用いたＬＥＤ照明であり、前記制御手段が制御するスイッチング電源から電源供給され、照明効率を高め集光するためにメッキ処理を施した反射板を備えたものである。
【００１６】
４０Ｖ程度又はそれ以下の低電圧電源を下方照明装置としての前記ＬＥＤ照明装置に供給され、庫内照明装置が、発光ダイオードを用いた発光源が小さいＬＥＤ照明であるが、近年普及してきた５口コンロを有する下方調理器で広域に渡って調理される調理物に対して、表面にメッキを施した反射板を設け効率よく照明することが可能となる。
【００１７】
発光源となるＬＥＤ素子はプリント基板上に取付けられＬＥＤ素子から発せられる光を表面にメッキ処理を施した反射板で集光し、照射効率を向上させている。
【００１８】
ここで反射板表面のメッキ層は電気を流すためＬＥＤ素子やその半田部分が反射板に触れると電気的に短絡又は開放になり故障や破損の原因となる。
【００１９】
本発明では、ＬＥＤ素子と反射板の絶縁距離を最小に留められるように個々の部品の位置決め精度を高めることでＬＥＤ素子と反射板間の電気的故障やそれに伴う照明装置の破損をなくし、照明効率の大幅な向上をもたらすことができる。
【００２０】
第２の発明は、特に、第１の発明の反射板構造において、プリント基板との接合部に足形状を設けることで冷却風の流路が確保でき、高熱を発するＬＥＤ素子の冷却効果を高めることができ、品質保証のための使用温度上限があるＬＥＤ素子への入力電流を高めることができるため、その結果、照明装置として輝度を高めることが可能になるだけでなく、ＬＥＤ素子の寿命を引き伸ばすことが可能となり、高輝度のＬＥＤ照明を半永久的に使用できるので、交換作業が不要になり、使い勝手を著しく向上することができる。
【００２１】
以下、本発明の実施の形態について、図面を参照しながら説明する。なお、この実施の形態によって本発明が限定されるものではない。
【００２２】
（実施の形態１）
図１は、本発明の第１の実施の形態におけるレンジフード付き高周波加熱装置の構造図を示すものである。図２は、同実施の形態におけるレンジフード付き高周波加熱装置のＬＥＤ照明装置の取付け構造図を示すものである。図３（ａ）は、従来のＬＥＤ照明装置を有するレンジフード付き高周波加熱装置のＬＥＤ素子と反射板の取付け構成において絶縁空間距離が大きい場合の概略図、図３（ｂ）は、従来のＬＥＤ照明装置を有するレンジフード付き高周波加熱装置のＬＥＤ素子と反射板の取付け構成において絶縁空間距離のバランスが不均一な場合の概略図、図３（ｃ）は、本発明の第１の実施の形態におけるレンジフード付き高周波加熱装置におけるＬＥＤ素子と反射板の取付け構成において最適な絶縁空間距離が確保された概略図である。
【００２３】
図１において、レンジフード付き電子レンジ８（レンジフード付き高周波加熱装置）は、ガスコンロ１１（加熱調理装置）の上方に取り付けられている。レンジフード付き電子レンジ８の上部には、循環ファン１０を設けており、レンジフード付き電子レンジ８の下部に開口した生成ガス吸気口７から取り入れたガスコンロ１１（加熱調理装置）から発生する生成ガスを、レンジフード付き電子レンジ８（レンジフード付き高周波加熱装置）の背面側に設けた排気通路９を通し、戸外に排気している。
【００２４】
レンジフード付き電子レンジ８の本体の中には、食品などの高周波加熱調理物１６（被加熱物）を収納し、加熱調理する加熱室１が設けられている。また、加熱室１内の高周波加熱調理物１６（被加熱物）を照明するＬＥＤ照明である庫内照明装置４を備えている。
【００２５】
また、レンジフード付き電子レンジ８の本体の中には、加熱室１と並んで、機械室１７が設けられ、電力供給装置２、マグネトロン３（高周波発生手段）が配置されている。
【００２６】
マグネトロン３で発生した２．４５ＧＨｚ帯の高周波電波は、導波管１４を伝搬して、加熱室１内へ供給される。
【００２７】
レンジフード付き電子レンジ８の下部には、ガスコンロ１１（加熱調理装置）を照明するＬＥＤ照明装置５（下方照明装置）が設けられている。このＬＥＤ照明装置５は、発光ダイオード（ＬＥＤ）を用いたものである。
【００２８】
ＬＥＤ照明装置５の下部で、かつレンジフード付き電子レンジ８の底部壁面には、下方照明光透過用窓１８が取りつけられ、ガスコンロ１１から発生する高温高湿の生成ガスが、ＬＥＤ照明装置５の近傍に侵入するのを防止している。
【００２９】
ＬＥＤ照明装置５は、スイッチング電源１３から、１２ＶＤＣ電源を供給されている。
【００３０】
なお、本実施の形態では、ＬＥＤ照明装置５への供給電圧を１２Ｖとしたが、これに限定されるものではなく、４０Ｖ程度より電圧値が低い低電圧電源であればよい。
【００３１】
制御手段１２は、機械室１７の中に設けられ、マグネトロン３、ＬＥＤ照明装置５のＯＮ／ＯＦＦ制御、及びスイッチング電源１３のＯＮ／ＯＦＦ制御を行う。
【００３２】
以上のように構成されたレンジフード付き高周波加熱装置について、以下その動作、作用を説明する。
【００３３】
まず、レンジフード付き電子レンジ８を使用して調理する場合、レンジフード付き電子レンジ８の加熱室１に高周波加熱調理物（被加熱物）１６を収納し、マグネトロン３を運転して、加熱室１へ高周波電波を供給することで、加熱室１内の高周波加熱調理物１６を加熱する。
【００３４】
この時、レンジフード付き電子レンジ８の調理のいかんに関わらず、使用者がガスコンロ１１等の下方調理機器を用いて調理を行う場合、ＬＥＤ照明装置５（下方照明装置）をＯＮすることにより、制御手段１２がスイッチング電源１３をＯＮして、商用電圧を１２Ｖに低電圧化し、電源をＬＥＤ照明装置５へ供給する。
【００３５】
このＬＥＤ照明装置５が、ガスコンロ１１の調理物を照明することにより、使用者がガスコンロ１１を使用した調理に適切な照度が得られる。
【００３６】
そして、調理が終了すると、制御手段１２がスイッチング電源１３をＯＦＦし、ＬＥＤ照明装置５がＯＦＦする。
【００３７】
また、このＬＥＤ照明装置５は間接照明や台所内照明灯としても利用され、レンジフード付き電子レンジ８やガスコンロ１１の動作に関わらず、ＬＥＤ照明装置５をＯＮ操作する。
【００３８】
なお、ＬＥＤ照明装置５（下方照明装置）の明るさは、庫内照明装置４以上の明るさが求められる。これは、庫内照明装置４は、加熱室１内の調理中の高周波加熱調理物１６の調理の進行が分かる程度でよいのに対し、レンジフード付き電子レンジ８の下方のガスコンロ１１を照明する装置としてのＬＥＤ照明装置５（下方照明装置）は、ガスコンロ１１（加熱調理装置）の最大で５口分に渡る広域を照明したり、インテリア照明として台所内を照明したりする用途のために庫内照明装置４以上の明るさが必要となる。
【００３９】
このように、ＬＥＤ照明装置５は照明装置としての明るさを求められるので自己発熱量も多い。また、ガスコンロ１１から発生する高温高湿の生成ガスによって、高い雰囲気温度の中で動作することも多い。ＬＥＤ照明装置５は、高温状態で動作し続けるとその寿命が短くなる特性がある。
【００４０】
そのため本実施の形態では、ＬＥＤ照明装置５（下方照明装置）の発する光を効率的に下方の調理物に照射するため、表面にメッキ処理１９を施した反射板２０を有し、必要最小限の消費電力に抑える構成としている。
【００４１】
図２において、反射板２０に有した位置決めピン６とプリント基板２４に接する部分の空間構造２２が生み出す効果について説明する。
【００４２】
反射板２０は、ＬＥＤ素子２５による照射光２３の集光効率を高めるためにＬＥＤ素子２５に出来るだけ近接することが必要となる。プリント基板２４上に配置されたＬＥＤ素子２５の照射光２３は直進性を有するため絶縁空間２２が大きければ反射板２０の集光効率は低下する。
【００４３】
一方、反射板２０は集光効率を考慮し、通常円筒形状を構成することで取付け位置決め精度が出にくいが、反射板２０側に位置決めピン６を配し、プリント基板２４の決め穴２７を有することで反射板２０の位置制度を高めることが出来る。
【００４４】
また、位置決めピン６は、円筒形状のＬＥＤ素子２５から離れた場所に位置することでＬＥＤ素子２５との十分な絶縁距離２２を確保できる。
【００４５】
また、位置決めピン６は、３箇所で反射板２０の位置精度を十分に確保することが可能であり、位置決めピン６周囲以外のプリント基板２４に接する部分は絶縁空間２２を有する構造とすることで、高温加熱するＬＥＤ素子２５を冷却する冷却風路を設けることができる。
【００４６】
図３において、反射板２０に有した位置決めピン６とプリント基板２４に接する部分の空間構造と従来構造との比較を説明する。
【００４７】
図３（ａ）において、従来構造ではＬＥＤ素子２５と反射板２０との接触を避けるため絶縁距離２２が大きく、ＬＥＤ素子２５からの照射光２３が直進し、反射板２０の集光効率が低下することを示す。
【００４８】
図３（ｂ）において、従来構造ではＬＥＤ素子２５と反射板２０との距離のバランスが取れず接触が発生し、電気的な不具合を生じる状況を示す。
【００４９】
図３（ｃ）において、本実施の形態ではＬＥＤ素子２５と反射板２０との位置決め精度が高く、全周の距離のバランスが確保でき、最小距離が取れることで反射板２０の集光効率が向上し、ＬＥＤ照明装置５（下方照明装置）として効率の高い、半永久的な照明装置を提供することが可能となる。
【００５０】
以上のように、本実施の形態においては、ＬＥＤ照明装置５（下方照明装置）の照明効率を最大限に高めるだけでなく、電気的な不具合を防止する構造が実現でき、ＬＥＤ照明装置５の寿命が長くなり半永久的に使用できるので、交換作業が不要になり、使い勝手が著しく向上する。
【００５１】
また、下方の照明装置をＬＥＤ照明装置５にすることにより、低電圧電源で動作させることができるので、電気絶縁性能を簡略化でき簡単な構造で安全性を向上することができる。
【産業上の利用可能性】
【００５２】
以上のように、本発明にかかるレンジフード付き高周波加熱装置は、下方照明装置の寿命が長くなり半永久的に使用できるので、他の調理器の上部に位置して使われる循環ファンを備えた機器に有効である。
【符号の説明】
【００５３】
１    加熱室
３    マグネトロン（高周波発生手段）
４    庫内照明装置
５    ＬＥＤ照明装置（下方照明装置）
８    レンジフード付き電子レンジ（レンジフード付き高周波加熱装置）
１１  ガスコンロ（加熱調理装置）
１２  制御手段
１３  スイッチング電源
１６  高周波加熱調理物（被加熱物）
２０  反射板
【図１】
2013137155.tif 000003
【図２】
2013137155.tif 000004
【図３】
2013137155.tif 000005